Podtech/llm-jp-corpus-v4-ja_patent huggingface dataset:
【手続補正書】
【提出日】平成18年1月17日(2006.1.17)
【手続補正１】
【補正対象書類名】特許請求の範囲
【補正対象項目名】全文
【補正方法】変更
【補正の内容】
【特許請求の範囲】
【請求項１】
処理が下記の工程からなる、大豆β−コングリシニンα’サブユニットの選択的抽出、精製及び酵素的改変方法：
ａ）微酸性ｐＨにおいて脱脂粉砕大豆を重亜硫酸ナトリウム水溶液で抽出し、β−コングリシニンを濃縮した溶解したタンパク質画分を得る工程；
ｂ）工程ａ）からのβ−コングリシニン画分をエタノールで処理して沈殿形成する工程；
ｃ）工程ｂ）からの沈殿画分を変性条件下において金属アフィニティクロマトグラフィ（ＭＡＣ）によって精製し、α’サブユニットを単離する工程;
ｄ）有機溶媒でα’サブユニットを沈殿する工程；
ｅ）状況に応じて、工程ｃ）からのα’サブユニットをタンパク質分解酵素で酵素処理し、ＭＡＣクロマトグラフィでさらに精製する工程。
【請求項２】
抽出がｐＨ６．４で１５倍容の０．９８ｇ／Ｌの重亜硫酸ナトリウム溶液によって実施される請求項１に記載の方法。
【請求項３】
工程ｂ）の沈殿形成が４０％エタノールで実施される請求項１に記載の方法。
【請求項４】
工程ｃ）におけるＭＡＣが亜鉛又はニッケルを結合した基材上で行なわれる請求項１に記載の方法。
【請求項５】
基材が亜鉛を結合している請求項４に記載の方法。
【請求項６】
基材がアガロース−イミノ二酢酸からなる請求項４または５に記載の方法。
【請求項７】
工程ｃ）のＭＡＣで使用される変性剤が尿素である請求項１に記載の方法。
【請求項８】
工程ｅ）の酵素処理用のタンパク質分解酵素がキモトリプシンである請求項１に記載の方法。
【請求項９】
工程ｄ）のα’サブユニットの沈殿化溶媒がアセトンである請求項１に記載の方法。
【請求項１０】
β−コングリシニン濃縮画分及びα’サブユニットが凍結乾燥により安定化されている請求項１に記載の方法。
【請求項１１】
請求項１〜１０に記載の方法で得られる大豆β−コングリシニンα’サブユニットのポリペプチド断片。
【請求項１２】
請求項８に記載の方法に従って得られるアミノ末端ポリペプチド断片。
【請求項１３】
医薬として使用するための請求項１１に記載の大豆β−コングリシニンα’サブユニットのポリペプチド断片。
【請求項１４】
医薬として使用するための請求項１２に記載のアミノ酸末端ポリペプチド断片。
【請求項１５】
高脂血症を治療するための医薬を製造するための請求項１１に記載の大豆β−コングリシニンα’サブユニットのポリペプチド断片の使用。
【請求項１６】
高脂血症を治療するための医薬を製造するための請求項１１に記載のポリペプチド断片の使用。
【請求項１７】
請求項１１または１２に記載のポリペプチド断片を、単独であるいは他の有効成分と組み合わせて、適当な担体と混合して含む医薬組成物。
【請求項１８】
請求項１１または１２に記載のポリペプチド断片を含む補助剤あるいは栄養剤。
【手続補正書】
【提出日】平成18年1月20日(2006.1.20)
【手続補正１】
【補正対象書類名】特許請求の範囲
【補正対象項目名】全文
【補正方法】変更
【補正の内容】
【特許請求の範囲】
【請求項１】
Ｉ型糖尿病の処置に用いる医薬の製造のための、メラガトランまたはその医薬的に許容できる誘導体の使用。
【請求項２】
細胞の移植方法に用いる医薬の製造のための、メラガトランまたはその医薬的に許容できる誘導体の使用。
【請求項３】
細胞がインスリン産生細胞またはその前駆体である、請求項２に記載の使用。
【請求項４】
細胞がランゲルハンス島である、請求項２または３に記載の使用。
【請求項５】
インスリン産生細胞の前駆体が幹細胞である、請求項３に記載の使用。
【請求項６】
ランゲルハンス島の移植方法に用いる医薬の製造のための、メラガトランまたはその医薬的に許容できる誘導体の使用。
【請求項７】
ランゲルハンス島を肝臓に移植する、請求項６に記載の使用。
【請求項８】
Ｉ型糖尿病患者においてインスリン非依存性を向上させる方法に用いる医薬の製造のための、メラガトランまたはその医薬的に許容できる誘導体の使用。
【請求項９】
即発性血液仲介炎症反応の処置に用いる医薬の製造のための、メラガトランまたはその医薬的に許容できる誘導体の使用。
【請求項１０】
メラガトランの誘導体がメラガトランのプロドラッグである、請求項１〜９のいずれか１項に記載の使用。
【請求項１１】
プロドラッグが次式のもの：
Ｒ1Ｏ2Ｃ−ＣＨ2−（Ｒ）Ｃｇｌ−Ａｚｅ−Ｐａｂ−ＯＨ
（式中、Ｒ1は直鎖または分枝鎖Ｃ1-6アルキルを表わし、ＯＨ基はＰａｂ中のアミジノ水素の１つを置換している）である、請求項１０に記載の使用。
【請求項１２】
Ｒ1がメチル、エチル、ｎ−プロピル、ｉ−プロピルまたはｔ−ブチルを表わす、請求項１１に記載の使用。
【請求項１３】
Ｒ1がエチルを表わす、請求項１２に記載の使用。
【請求項１４】
メラガトランまたはその医薬的に許容できる誘導体を含む、Ｉ型糖尿病の処置に用いるための医薬。
【請求項１５】
メラガトランまたはその医薬的に許容できる誘導体を含む、インスリン産生細胞またはその前駆体の移植方法に用いるための医薬。
【請求項１６】
インスリン産生細胞がランゲルハンス島である、請求項１５に記載の医薬。
【請求項１７】
インスリン産生細胞の前駆体が幹細胞である、請求項１５に記載の医薬。
【請求項１８】
メラガトランまたはその医薬的に許容できる誘導体を含む、即発性血液仲介炎症反応の処置に用いるための医薬。
【請求項１９】
メラガトランの誘導体がメラガトランのプロドラッグである、請求項１４〜１８のいずれか１項に記載の医薬。
【請求項２０】
プロドラッグが次式のもの：
Ｒ1Ｏ2Ｃ−ＣＨ2−（Ｒ）Ｃｇｌ−Ａｚｅ−Ｐａｂ−ＯＨ
（式中、Ｒ1は直鎖または分枝鎖Ｃ1-6アルキルを表わし、ＯＨ基はＰａｂ中のアミジノ水素の１つを置換している）である、請求項１９に記載の医薬。
【請求項２１】
Ｒ1がメチル、エチル、ｎ−プロピル、ｉ−プロピルまたはｔ−ブチルを表わす、請求項２０に記載の医薬。
【請求項２２】
下記の成分：
（ａ）メラガトランまたはその医薬的に許容できる誘導体を含む第１成分；および
（ｂ）細胞を含む第２成分
を含み、成分（ａ）および（ｂ）がそれぞれ他方と併用投与するのに適した形で供給されるパーツのキット。
【請求項２３】
細胞がインスリン産生細胞またはその前駆体である、請求項２２に記載のキット。
【請求項２４】
細胞がランゲルハンス島である、請求項２２または２３に記載のキット。
【請求項２５】
インスリン産生細胞の前駆体が幹細胞である、請求項２３に記載のキット。
【請求項２６】
（Ｉ）請求項２２〜２５のいずれか１項に記載の１種類の成分（ａ）および（ｂ）；ならびに
（ＩＩ）その成分を２種類の成分のうちの他方と併用するための指示書
を含むパーツのキット。
【請求項２７】
メラガトランの誘導体がメラガトランのプロドラッグである、請求項２２〜２６のいずれか１項に記載のキット。
【請求項２８】
プロドラッグが次式のもの：
Ｒ1Ｏ2Ｃ−ＣＨ2−（Ｒ）Ｃｇｌ−Ａｚｅ−Ｐａｂ−ＯＨ
（式中、Ｒ1は直鎖または分枝鎖Ｃ1-6アルキルを表わし、ＯＨ基はＰａｂ中のアミジノ水素の１つを置換している）である、請求項２７に記載のキット。
【請求項２９】
Ｒ1がメチル、エチル、ｎ−プロピル、ｉ−プロピルまたはｔ−ブチルを表わす、請求項２８に記載のキット。
【請求項３０】
Ｒ1がエチルを表わす、請求項２９に記載のキット。
【請求項３１】
請求項２２〜２５または２７〜３０のいずれか１項に記載のパーツのキットを作成する方法であって、請求項２２〜２５または２７〜３０のいずれか１項に記載の成分（ａ）を、請求項２２〜２５または２７〜３０のいずれか１項に記載の成分（ｂ）と一緒にして、２成分を互いに併用投与するのに適したものにすることを含む方法。
【手続補正書】
【提出日】平成18年1月23日(2006.1.23)
【手続補正１】
【補正対象書類名】特許請求の範囲
【補正対象項目名】全文
【補正方法】変更
【補正の内容】
【特許請求の範囲】
【請求項１】
形成された歯の表面からスメア層を除去するための方法であって、
消毒剤、
洗浄剤、および
有機酸
を含む滅菌溶液で表面を洗浄することを含む方法。
【請求項２】
消毒剤が抗生物質である、請求項１に記載の方法。
【請求項３】
抗生物質がテトラサイクリンである、請求項２に記載の方法。
【請求項４】
抗生物質がドキシサイクリンである、請求項２に記載の方法。
【請求項５】
洗浄剤がソルビタンエステル、ポリソルベート、またはポリオキシエチレンソルビタンモノオレアートである、請求項１に記載の方法。
【請求項６】
有機酸が１．５と５の間のｐＫａを有する、請求項１に記載の方法。
【請求項７】
有機酸がクエン酸である、請求項６に記載の方法。
【請求項８】
表面が歯内の位置、器具で処置された根管、歯周療法のために形成された表面、または歯の修復用に形成された部位である、請求項１に記載の方法。
【請求項９】
歯の表面を１分〜１時間洗浄する、請求項１に記載の方法。
【請求項１０】
消毒剤が溶液の約１〜５重量パーセントの量で存在する、請求項１に記載の方法。
【請求項１１】
洗浄剤が溶液の約０．５重量パーセントの量で存在する、請求項１に記載の方法。
【請求項１２】
溶液の組成が約３重量％の消毒剤、０．５重量％の洗浄剤、および４．２５重量％の酸である、請求項１に記載の方法。
【請求項１３】
溶液の組成が約３重量％のドキシサイクリン、約０．５重量％のポリソルベート８０、および約４．２５重量％のクエン酸である、請求項１に記載の方法。
【請求項１４】
形成された表面上のスメア層を除去するための滅菌溶液であって、
消毒剤、
洗浄剤、および
有機酸
を含む滅菌溶液。
【請求項１５】
消毒剤が抗生物質である、請求項１４に記載の溶液。
【請求項１６】
抗生物質がテトラサイクリンである、請求項１４に記載の溶液。
【請求項１７】
抗生物質がドキシサイクリンである、請求項１４に記載の溶液。
【請求項１８】
洗浄剤がソルビタンエステル、ポリソルベート８０、またはポリソルベート化合物である、請求項１４に記載の溶液。
【請求項１９】
有機酸がクエン酸である、請求項１４に記載の溶液。
【請求項２０】
消毒剤が溶液の約１〜５重量パーセントの量で存在する、請求項１４に記載の溶液。
【請求項２１】
酸が溶液の約０．５〜１０重量パーセントの量で存在する、請求項１４に記載の溶液。
【請求項２２】
溶液の組成が約３重量％の消毒剤、０．５重量％の洗浄剤、および４．２５重量％の酸である、請求項１４に記載の溶液。
【請求項２３】
溶液の組成が約３重量％のドキシサイクリン、約０．５重量％のポリソルベート８０、および約４．２５重量％のクエン酸である、請求項２２に記載の溶液。
【請求項２４】
溶液を約１：２００まで希釈する、請求項１に記載の方法。
【請求項２５】
形成された歯または骨の表面からスメア層を除去するための方法であって、
（ａ）１．３重量％のＮａＯＣｌの溶液で表面を洗浄する工程、および
（ｂ）約３重量％のドキシサイクリン、約０．５重量％のポリソルベート８０、および約４．２５重量％のクエン酸を含む消毒滅菌溶液で約２分〜約５分間表面をさらに洗浄する工程を含む方法。
【請求項２６】
工程（ｂ）の溶液を約１：２００まで希釈する、請求項２５に記載の方法。
【請求項２７】
消毒溶液がさらに抗菌性クロルヘキシジン化合物を含む、請求項２５に記載の方法。
【請求項２８】
溶液がグルコン酸クロルヘキシジン、ポリソルベート８０、およびクエン酸を含む、請求項１に記載の方法。
【請求項２９】
溶液がグルコン酸クロルヘキシジン、ポリソルベート８０、およびクエン酸を含む、請求項１４に記載の溶液。
【手続補正書】
【提出日】平成17年11月29日(2005.11.29)
【手続補正１】
【補正対象書類名】特許請求の範囲
【補正対象項目名】全文
【補正方法】変更
【補正の内容】
【特許請求の範囲】
【請求項１】
式(I)：
【化１】
2005516019.tif 000001
［式中、Ｒ１及びＲ２は、互いに独立して、飽和又は不飽和で、分枝又は非分枝のアルキル基又は芳香族残基を表す。］
に相当する2-メチルプロパン-1,3-ジオールジエステルの、化粧品及び／又は医薬品製剤における使用。
【請求項２】
Ｒ１及びＲ２は、互いに独立して、飽和又は不飽和で、分枝又は非分枝のＣ６−３０アルキル基又は芳香族残基を表すことを特徴とする請求項１に記載の使用。
【請求項３】
Ｒ１及びＲ２は、互いに独立して、直鎖、飽和のＣ１２−２４アルキル基を表すことを特徴とする請求項１に記載の使用。
【請求項４】
式(I)：
【化２】
2005516019.tif 000002
［式中、Ｒ１及びＲ２は、互いに独立して、飽和又は不飽和で、分枝又は非分枝のＣ１２−２４アルキル基又は芳香族残基を表す。］
に相当する2-メチルプロパン-1,3-ジオールジエステルの製造方法であって、
（ａ）錫触媒の存在下で、水の生成が終わるまで、2-メチルプロパン-1,3-ジオールを過剰のカルボン酸Ｒ１−ＣＯＯＨ及び／又はＲ２−ＣＯＯＨによりエステル化し、
（ｂ）反応生成物をTonsilによって濾過し、
（ｃ）分留によって該ジエステルを精製する
ことを特徴とする製造方法。
【請求項５】
少なくとも一種の2-メチルプロパン-1,3-ジオールジエステルを含有する化粧品及び／又は医薬品製剤。
【請求項６】
０．１〜６０重量％の、少なくとも一種の2-メチルプロパン-1,3-ジオールジエステルを含有する請求項５に記載の化粧品及び／又は医薬品製剤。
【請求項７】
請求項５又は６に記載の化粧品及び／又は医薬品製剤であって、
（ｅ）少なくとも一種の2-メチルプロパン-1,3-ジオールジエステルを０．１〜５０重量％、
（ｆ）界面活性剤及び／又は乳化剤及び／又は乳化助剤を０．１〜２０重量％、
（ｇ）他の油成分を０．１〜４０重量％、及び
（ｈ）水を０〜９８重量％
を含有する製剤。
【手続補正書】
【提出日】平成17年12月8日(2005.12.8)
【手続補正１】
【補正対象書類名】特許請求の範囲
【補正対象項目名】全文
【補正方法】変更
【補正の内容】
【特許請求の範囲】
【請求項１】
（ａ）  フィッシャー・トロプシュ反応器からＣ３〜Ｃ４軽質オレフィン留分を得、
（ｂ）  前記オレフィン留分を処理して、酸素化物レベルを約４０００ｐｐｍより低く減少し、
（ｃ）  前記オレフィン留分を、フィッシャー・トロプシュ反応から得られた少なくとも３０重量％のイソブタンを含有するイソパラフィン流と混合し、
（ｄ）  工程（ｃ）からの前記一緒にした流れをアルキル化触媒の存在下で反応させ、そして
（ｅ）  少なくとも約８０のリサーチ・オクタン価を有する高度に分岐したイソパラフィンアルキレートを回収する、
工程を含む高オクタンアルキレートの製造方法。
【請求項２】
工程（ｃ）中のイソパラフィン流が、３００°Ｆ＋フィッシャー・トロプシュ留分を、水素化処理、水素化分解、水素化脱蝋、又はそれらの組合せにかけることにより得られる、請求項１に記載の方法。
【請求項３】
工程（ｂ）のオレフィン留分の酸素化物含有量が、約２５００ｐｐｍより少ない、請求項１に記載の方法。
【請求項４】
オレフィン留分の酸素化物含有量が、約１０００ｐｐｍより少ない、請求項３に記載の方法。
【請求項５】
Ｃ３〜Ｃ４オレフィン留分中に存在する酸素化物の少なくとも一部分を、水洗浄、脱カルボキシル化、吸着、蒸留、又はそれらの組合せにより除去する、請求項１に記載の方法。
【請求項６】
蒸留が、抽出又は共沸蒸留を含む、請求項５に記載の方法。
【請求項７】
高度に分岐したイソパラフィンアルキレートが、少なくとも約９０のオクタン価を有する、請求項１に記載の方法。
【請求項８】
アルキレートが、少なくとも約９５のオクタン価を有する、請求項７に記載の方法。
【請求項９】
工程（ｃ）で用いられるオレフィン留分が、少なくとも４の酸価を有する、請求項１に記載の方法。
【請求項１０】
フィッシャー・トロプシュ反応器から低級アルコールを回収し、脱水してオレフィンを形成し、それを軽質オレフィン留分へ添加する、請求項１に記載の方法。
【請求項１１】
高度に分岐し、大きなイソパラフィン含有量を有し、少なくとも約８０のオクタン価を有するアルキレートの製造方法において、
（ａ）  ＣＯ及びＨ２を含有する混合物を、フィッシャー・トロプシュ触媒の存在下で反応させ、
（ｂ）  プロピレン、１−ブテン、及びアルコールを含有する軽質オレフィン留分；アルコールを含有するＣ５〜３００°Ｆナフサ留分；及び３００°Ｆ＋留分；を含む炭化水素質生成物の混合物を回収し、
（ｃ）  ３００°Ｆ＋留分を、水素化処理、水素化分解、水素化脱蝋、又はそれらの組合せにかけ、少なくとも約３０重量％のイソブタンを含有する留分を回収し、
（ｄ）  前記軽質オレフィン留分からアルコールの少なくとも一部分を除去し、
（ｅ）  場合により、前記軽質オレフィン留分中の１−ブテンを異性化触媒で処理し、
（ｆ）  工程（ｃ）からの前記イソブタン含有留分を、工程（ｄ）からの軽質オレフィン留分と混合し、
（ｇ）  工程（ｅ）からの前記混合物を、液相アルキル化触媒の存在下で反応させ、そして
（ｈ）  前記アルキレートを回収する、
ことを含むアルキレート製造方法。
【請求項１２】
工程（ｄ）を、水洗、脱カルボキシル化、蒸留、吸着、又はそれらの組合せにより行い、酸素化物含有量を４０００ｐｐｍより少なくする、請求項１１に記載の方法。
【請求項１３】
工程（ｅ）のオレフィン留分の酸素化物含有量が、１０００ｐｐｍより少ない、請求項１１に記載の方法。
【請求項１４】
工程（ｄ）及び（ｅ）を同時に行う、請求項１１に記載の方法。
【請求項１５】
工程（ｃ）からの前記一緒にした流れが、酸素化物含有量が１０００ｐｐｍより少なく、Ｃ４オレフィンの％としてイソブタンが１０重量％より少ない、Ｃ３及びＣ４オレフィンを含む、請求項１に記載の方法。
【手続補正書】
【提出日】平成18年1月6日(2006.1.6)
【手続補正１】
【補正対象書類名】特許請求の範囲
【補正対象項目名】請求項１
【補正方法】変更
【補正の内容】
【請求項１】
光学的効果を有し本質的にコア／シェル粒子からなり該シェルはマトリックスを形成し、該コアは本質的に固体であって本質的に単分散な粒度分布を有しており、コア材料とシェル材料の屈折率に差がある成形品であって、少なくとも１種のコントラスト材料が前記マトリックスに組み込まれていることを特徴とする、前記成形品。
【手続補正２】
【補正対象書類名】明細書
【補正対象項目名】００７９
【補正方法】変更
【補正の内容】
【００７９】
非イオン性またはイオン性乳化剤を用いることもでき、所望により混合物として用いることもできる。好ましい乳化剤は、随意的にエトキシル化またはプロポキシル化され、エトキシル化またはプロポキシル化の程度の異なる、比較的長鎖のアルカノールまたはアルキルフェノールか（例えば、０〜５０ｍｏｌの酸化アルキレンを有する付加物）、またはそれらの中和化、硫酸化、スルホン化もしくはリン酸化誘導体である。中和化ジアルキルスルホコハク酸エステルまたはアルキルジフェニルオキシドジスルホナート（alkyldiphenyl oxide disulfonate）も特に好適である。
【手続補正書】
【提出日】平成18年1月27日(2006.1.27)
【手続補正１】
【補正対象書類名】特許請求の範囲
【補正対象項目名】全文
【補正方法】変更
【補正の内容】
【特許請求の範囲】
【請求項１】
以下の構造式を有する非鎮静性バルビツレート又はその塩を含む、神経障害から哺乳類を保護するための医薬組成物。
【化１】
2005516052.tif 000001
（式中、Ｒ1とＲ2は同じか異なるものであっても良く、独立的に、水素；低級シクロアルキル、アシル、アシロキシ、アリール、アリーロキシ、低級アルコキシ、チオアルキル又はチオアリール、アミノ、アルキルアミノ、ジアルキルアミノ又は１種以上のハロゲン原子で置換されていても良い低級アルキル；フェニル；ＣＨ2ＸＲ5（ここで、Ｘは、Ｓ又はＯであり、Ｒ5は低級アルキル、アリール、アルキルアリール又はベンジルである）；Ｃ（Ｏ）ＸＲ6（ここで、Ｘは、上記で定義されたものであり、Ｒ6は低級アルキル又はアリールである）；ＣＸＲ7（ここで、Ｘは上記で定義されたものであり、Ｒ7は水素、低級アルキル又はアリールである）及びＣＨ（ＸＲ8）2（ここで、Ｘは上記で定義されたものであり、Ｒ8は低級アルキル基である）であり、但し、Ｒ1とＲ2の少なくとも１種は水素ではなく、Ｒ3とＲ4は同じか異なるものであっても良く、独立的に、水素；Ｎ、Ｓ及びＯから成る群から選ばれる１種以上のヘテロ原子を含んでも良いアリール；低級アシロキシ；フェニル；ハロゲン、低級アルキル基、低級アシル基又はその誘導体又はアセトアミドで置換されたフェニル；ベンジル；１種以上のハロゲン、低級アルキル基又は両者によって環上置換されたベンジル；Ｎ、Ｏ及びＳから成る群から選ばれる１種以上のヘテロ原子を含んでも良いシクロアルキル；低級アルキル；又は芳香族成分で置換されている低級アルキルであり、但し、Ｒ3とＲ4の少なくとも１種は芳香族環又は芳香族環を含む成分である）。
【請求項２】
Ｒ1及び／又はＲ2がメトキシメチルである時は、Ｒ3とＲ4は共にフェニルではなく、共に低級アルキルで置換されたフェニルではなく、そして共にハロゲンで置換されたフェニルではなく、Ｒ3とＲ4の一方がフェニル又はベンジルである時は、Ｒ3とＲ4の今一方はエチルではなく、Ｒ1及びＲ2の少なくとも１種がベンジルであり、Ｒ3とＲ4の一方がフェニルである時は、Ｒ3とＲ4の今一方はアリルではなく、Ｒ1及びＲ2の一方がメチルであり、今一方が水素であり、Ｒ3とＲ4の一方がフェニルである時は、Ｒ3とＲ4の今一方は低級アルキルで置換されていないものであり、Ｒ1＝Ｒ2＝Ｒa（ここで、Ｒaは、アルコキシメチル又は（アシロキシ）メチルである）で、Ｒ3とＲ4の一方が１−フェニルエチルである時は、Ｒ3とＲ4の今一方はプロピオニルオキシではないものであって、この化合物が、ａ）１−メチル−５−（１−フェニルエチル）−５プロピオニルオキシ−バルビツール酸、ｂ）１，３−ジフェニル−５，５−（ジベンジル）バルビツール酸、ｃ）１，３，５−トリフェニルバルビツール酸、及びｄ）５−ベンジル−１，３−ジメチルバルビツール酸以外の化合物である、請求項１に記載の医薬組成物。
【請求項３】
（ａ）Ｒ1及びＲ2の少なくとも１種が、低級シクロアルキル、アシル、アシロキシ、アリール、アリーロキシ、チオアルキル又はチオアリール、アミノ、アルキルアミノ、ジアルキルアミノ又は１種以上のハロゲン原子で置換されている低級アルキル；フェニル；ＣＨ2ＳＲ5（ここで、Ｒ5は低級アルキル、アリール、アルキルアリール又はベンジルである）；Ｃ（Ｓ）ＸＲ6（ここで、Ｘは、Ｓ又はＯであり、Ｒ6は低級アルキル又はアリールである）；ＣＳＲ7（ここで、Ｒ7は水素、低級アルキル又はアリールである）及びＣＨ（ＳＲ8）2（ここで、Ｒ8は低級アルキル基である）で置換された低級アルキルであるか、（ｂ）Ｒ3及びＲ4の少なくとも１種が、低級アシロキシ；低級アシル基又はその誘導体又はアセトアミドで置換されたフェニル；及び、Ｎ、Ｏ及びＳから成る群から選ばれる少なくとも１種のヘテロ原子をその環に含んでも良いシクロアルキルである、請求項１に記載の医薬組成物。
【請求項４】
Ｒ1及び／又はＲ2がメトキシメチルである時は、Ｒ3とＲ4は共にフェニルではなく、共に低級アルキルで置換されたフェニルではなく、そして共にハロゲンで置換されたフェニルではなく、Ｒ3とＲ4の一方がフェニル又はベンジルである時は、Ｒ3とＲ4の今一方はエチルではなく、Ｒ1及びＲ2の少なくとも１種がベンジルであり、Ｒ3とＲ4の一方がフェニルである時は、Ｒ3とＲ4の今一方はアリルではなく、Ｒ1＝Ｒ2＝Ｒa（ここで、Ｒaは、アルコキシメチル又は（アシロキシ）メチルである）で、Ｒ3とＲ4の一方が１−フェニルエチルである時は、Ｒ3とＲ4の今一方はプロピオニルオキシではないものであって、この化合物が、ａ）１−メチル−５−（１−フェニルエチル）−５プロピオニルオキシ−バルビツール酸、ｂ）１，３−ジフェニル−５，５−（ジベンジル）バルビツール酸、及びｃ）１，３，５−トリフェニルバルビツール酸以外の化合物である、請求項３に記載の医薬組成物。
【請求項５】
Ｒ1及びＲ2が同じか異なるものであり、水素、ブチル、ベンジル、チオフェニルメチル、シクロプロピルメチル、３，３，３−トリフルオロプロピル、ベンジルオキシメチル及びアルコキシメチルから成る群から選ばれる、請求項１に記載の医薬組成物。
【請求項６】
Ｒ1及びＲ2の少なくとも１種がメトキシメチルである、請求項２に記載の医薬組成物。
【請求項７】
Ｒ3とＲ4が共に芳香族環又は芳香族環を含む成分である、請求項１に記載の医薬組成物。
【請求項８】
Ｒ3とＲ4は同じか異なるものであり、独立的に、フェニル；ハロゲン又は低級アルキル基で置換されたフェニル；Ｎ、Ｏ又はＳから成る群から選ばれる１種以上のヘテロ原子を含んでも良いシクロアルキル；ベンジル；１種以上のハロゲン、低級アルキル基又は両者によって環上置換されたベンジル；低級アルキル；又は、芳香族成分で置換されている低級アルキルであり、但し、Ｒ3とＲ4の少なくとも１種はフェニル又は置換フェニルである、請求項１に記載の医薬組成物。
【請求項９】
Ｒ3とＲ4の少なくとも１種が、フェニル、ベンジル、フルオロフェニル及びトリルから成る群から選ばれる、請求項１に記載の医薬組成物。
【請求項１０】
Ｒ3とＲ4の少なくとも１種が、
【化２】
2005516052.tif 000002
から成る群から選ばれる、請求項１に記載の医薬組成物。
【請求項１１】
前記神経障害が、心房細動、一過性脳虚血発作（ＴＩＡ）、脳虚血、細菌性心内膜炎、脳卒中、頭部心的外傷、くも膜下出血、又はその他の急性神経性傷害が原因である、請求項１に記載の医薬組成物。
【請求項１２】
前記医薬組成物が、心房細動、一過性脳虚血発作（ＴＩＡ）、脳虚血、細菌性心内膜炎、脳卒中、頭部心的外傷、くも膜下出血、又はその他の急性神経性傷害の危険があるときに投与されるものである、請求項１に記載の医薬組成物。
【手続補正書】
【提出日】平成17年5月27日(2005.5.27)
【手続補正１】
【補正対象書類名】特許請求の範囲
【補正対象項目名】全文
【補正方法】変更
【補正の内容】
【特許請求の範囲】
【請求項１】
酢酸メチルを含む反応混合物中でメタノール及び一酸化炭素の反応により酢酸を製造するための反応において、プロセス制御を行うための方法であって、次の工程：
ヨウ化メチル及び酢酸メチルを含む軽質生成物蒸留塔の重質相の密度を測定する工程；及び、
測定した密度に対応して反応器中の反応条件を制御する工程、を含む方法。
【請求項２】
反応混合物の条件を、該反応混合物の温度を調節することにより制御する、請求項１記載の方法。
【請求項３】
反応混合物の条件を、該反応混合物へのメタノールの流れを調節することにより制御する、請求項１又は２に記載の方法。
【請求項４】
反応混合物中の酢酸メチルの濃度が2.0〜10.0重量％である、請求項１〜３のいずれか１項に記載の方法。
【請求項５】
反応混合物中の酢酸メチルの濃度が5重量％より高い、請求項４記載の方法。
【請求項６】
反応混合物中の酢酸メチルの濃度が4.0〜7重量％である、請求項５記載の方法。
【請求項７】
重質相の密度が1.5〜1.8である、請求項６記載の方法。
【請求項８】
測定した重質相の密度を示す電子信号が制御系に送られ、この制御系が、該重質相の密度に対応して反応器中の反応条件を制御するやり方で作動する、請求項４記載の方法。
【請求項９】
酢酸メチルを含む反応混合物中でメタノール及び一酸化炭素の反応により、改良されたプロセス制御で酢酸を製造するための方法であって、次の工程：
ヨウ化メチル及び酢酸メチルを含む軽質生成物蒸留塔の重質相の密度を測定する工程；及び、
測定した密度に対応して反応混合物における条件を制御する工程、を含む方法。
【請求項１０】
反応混合物の条件を、該反応混合物の温度を調節することにより制御する、請求項９記載の方法。
【請求項１１】
反応混合物の条件を、該反応混合物へのメタノールの流れを調節することにより制御する、請求項９又は１０に記載の方法。
【請求項１２】
反応混合物中の酢酸メチルの濃度が2.0〜10.0重量％である、請求項９〜１１のいずれか１項に記載の方法。
【請求項１３】
反応混合物中の酢酸メチルの濃度が5重量％より高い、請求項１２記載の方法。
【請求項１４】
反応混合物中の酢酸メチルの濃度が4.0〜7重量％である、請求項１３記載の方法。
【請求項１５】
重質相の密度が1.5〜1.8である、請求項１４記載の方法。
【請求項１６】
測定した重質相の密度を示す電子信号が制御系に伝達され、この制御系が、該重質相の密度に対応して反応器中の反応条件を制御するやり方で作動する、請求項１２記載の方法。
【請求項１７】
メタノールを酢酸にカルボニル化するための反応系であって：
（ａ）酢酸、酢酸メチル、及びヨウ化メチルを含む反応器生成物を形成するための、メタノール、触媒、溶媒、及び水を含む液体反応媒体を含有する反応器；
（ｂ）該反応器生成物を該反応器から受容するためのフラッシャーであって、該反応器生成物の一部を蒸発させて、酢酸、酢酸メチル、及びヨウ化メチルを含むオーバーヘッド流れを形成することができる前記フラッシャー；
（ｃ）該反応器生成物を該フラッシャーに向けるための手段；
（ｄ）該オーバーヘッド流れを受容するための軽質生成物蒸留塔であって、該オーバーヘッド流れを蒸留して、軽質相及び重質相を形成することができる前記軽質生成物蒸留塔；
（ｅ）該オーバーヘッド流れの少なくとも一部を該軽質生成物蒸留塔に向けるための手段；及び、
（ｆ）該重質相の密度を測定するための手段、を含む反応系。
【請求項１８】
重質相の密度に対応して反応器中の反応条件を制御するための手段を含む、請求項１７記載の反応系。
【請求項１９】
測定した重質相の密度を示す電子信号を発生させて、該信号を、該重質相の密度に対応して反応器中の反応条件を制御するやり方で作動する制御系に伝達するための手段を含む、請求項１８記載の反応系。
【請求項２０】
反応混合物の条件を、該反応混合物の温度を調節することにより制御する、請求項１９記載の反応系。
【請求項２１】
反応混合物の条件を、該反応混合物へのメタノールの流れを調節することにより制御する、請求項１９又は２０に記載の反応系。
【請求項２２】
反応混合物中の酢酸メチルの濃度が2.0〜10.0重量％である、請求項１９記載の反応系。
【請求項２３】
反応混合物中の酢酸メチルの濃度が5重量％より高い、請求項２２記載の反応系。
【請求項２４】
反応混合物中の酢酸メチルの濃度が4.0〜7重量％である、請求項２３記載の反応系。
【請求項２５】
重質相の密度が1.5〜1.8である、請求項２４記載の反応系。
【手続補正書】
【提出日】平成17年12月7日(2005.12.7)
【手続補正１】
【補正対象書類名】特許請求の範囲
【補正対象項目名】全文
【補正方法】変更
【補正の内容】
【特許請求の範囲】
【請求項１】
改良された耐衝撃性を有する無水マレイン酸で変性したエチレンポリマー／アイオノマー／高密度ポリエチレンブレンドであって、アイオノマー／高密度ポリエチレンブレンドの１００重量部あたり、０．２〜５．０重量パーセントの無水マレイン酸で変性したエチレンポリマーを１〜２０重量部含むことを特徴とする無水マレイン酸で変性したエチレンポリマー／アイオノマー／高密度ポリエチレンブレンド。
【請求項２】
前記無水マレイン酸で変性したエチレンポリマーが、無水マレイン酸をグラフトした高密度ポリエチレン（ＭＡＮ−ｇ−ＨＤＰＥ）、無水マレイン酸をグラフトした超低密度ポリエチレン（ＭＡＮ−ｇ−ＶＬＤＰＥ）、無水マレイン酸をグラフトしたエチレンプロピレンゴム（ＭＡＮ−ｇ−ＥＰＲ）、無水マレイン酸をグラフトしたエチレンプロピレンジエンモノマーゴム（ＭＡＮ−ｇ−ＥＰＤＭ）、およびそれらの混合物からなる群より選択されることを特徴とする請求項１に記載の無水マレイン酸で変性したエチレンポリマー／アイオノマー／高密度ポリエチレンブレンド。
【請求項３】
アイオノマー／高密度ポリエチレンブレンドの耐衝撃性を改良するための方法であって：
（ｉ）アイオノマーおよび高密度ポリエチレンの合計１００重量部あたり、無水マレイン酸で変性したエチレンポリマー１〜２０重量部を添加する工程；および
（ｉｉ）前記無水マレイン酸で変性したエチレンポリマー、アイオノマーおよび高密度ポリエチレンを、高温かつ高ずり速度で混合する工程
を含むことを特徴とする方法。
【請求項４】
前記無水マレイン酸で変性したエチレンポリマーが、無水マレイン酸をグラフトした高密度ポリエチレン（ＭＡＮ−ｇ−ＨＤＰＥ）、無水マレイン酸をグラフトした超低密度ポリエチレン（ＭＡＮ−ｇ−ＶＬＤＰＥ）、無水マレイン酸をグラフトしたエチレンプロピレンゴム（ＭＡＮ−ｇ−ＥＰＲ）、無水マレイン酸をグラフトしたエチレンプロピレンジエンモノマーゴム（ＭＡＮ−ｇ−ＥＰＤＭ）、およびそれらの混合物からなる群より選択されることを特徴とする請求項３に記載の方法。
【手続補正書】
【提出日】平成17年12月28日(2005.12.28)
【手続補正１】
【補正対象書類名】特許請求の範囲
【補正対象項目名】全文
【補正方法】変更
【補正の内容】
【特許請求の範囲】
【請求項１】
（ａ）塩素水と永続的な接触状態にあるポリオレフィン、及び
（ｂ）安定剤として、
（ｉ）３ないし２２個の炭素原子を有するエポキシ化脂肪酸、又は１ないし１８個の炭素原子を有するそのアルキルエステル；及び／又は、
（ｉｉ）有機すず化合物；及び／又は、
（ｉｉｉ）式Ａ又は式Ｂ
【化１】
2005516094.tif 000001
で表わされる基を少なくとも１つ含む化合物
からなる群から選択される少なくとも１種の化合物
からなる組成物。
【請求項２】
更に、成分（ａ）及び（ｂ）の他に、更なる添加剤を含む請求項１記載の組成物。
【請求項３】
更なる添加剤として、フェノール系抗酸化剤、光安定剤及び／又は加工安定剤を含む請求項２記載の組成物。
【手続補正書】
【提出日】平成17年10月14日(2005.10.14)
【手続補正１】
【補正対象書類名】特許請求の範囲
【補正対象項目名】全文
【補正方法】変更
【補正の内容】
【特許請求の範囲】
【請求項１】
少なくとも１２００ＭＰａの引張強さを有するポリグリコール酸又はその官能誘導体からなるポリマー組成物。
【請求項２】
配向繊維に形成される請求項１のポリマー組成物。
【請求項３】
繊維が少なくとも２２ＧＰａの引張弾性率を有する、請求項１又は２のポリマー組成物。
【請求項４】
素材の中の局在点で延伸することによって、実質的にアモルファスのポリマーのポリマー鎖配向を増大させることからなる請求項１から３の何れか１つに記載されたポリマー組成物の製造方法。
【請求項５】
ポリグリコール酸又はその官能誘導体を繊維に形成し、繊維を急冷し、次いで、所定の条件下で急冷された繊維に引張応力を付し、それによって、引張応力を付された繊維の所定の領域が延伸される工程からなる請求項１から３の何れか１つに記載されたポリマー組成物の製造方法。
【請求項６】
繊維形成方法が、溶融押出又は溶液紡糸である請求項５による方法。
【請求項７】
急冷され、引張応力を付与された繊維がゾーンヒーティングに付される請求項５又は６による方法。
【請求項８】
急冷され、引張応力を付与された繊維が、それぞれの延伸工程が同一又は異なる条件で行われる、少なくとも２つの別々の延伸工程に付される請求項５から７の何れか１つによる方法。
【請求項９】
請求項１から３の何れか１つによる、又は請求項４から８の何れか１つによる方法によって生産された、ポリグリコール酸又はその官能誘導体からなる加工品。
【請求項１０】
少なくとも２つのポリマー成分からなる請求項９に記載された加工品。
【請求項１１】
体積で、１０％から８０％の請求項１から３の何れか１つによるポリグリコール酸又はその官能誘導体からなる請求項１０による加工品。
【請求項１２】
ポリマー成分の少なくとも１つがコポリマー又はポリマー混合物である請求項１０又は１１の加工品。
【請求項１３】
ポリマー成分の少なくとも１つが生体吸収性である請求項１０から１２の何れか１つの加工品。
【請求項１４】
生体吸収性ポリマーがポリヒドロキシ酸、ポリ乳酸、ポリカプロラクトン、ポリアセタール又はポリ無水物からなる請求項１３の加工品。
【請求項１５】
少なくとも１つの非生体吸収性ポリマー成分からなる請求項９から１４の何れか１つの加工品。
【請求項１６】
非生体吸収性ポリマーが、ポリプロピレン、ポリエチレン、ポリメチルメタクリレート又はエポキシ樹脂からなる請求項１５の加工品。
【請求項１７】
少なくとも１つの非ポリマー成分をさらに含む請求項９から１６の何れか１つの加工品。
【請求項１８】
非ポリマー成分がセラミック、ヒドロキシアパタイト又は第三リン酸カルシウムからなる請求項１７の加工品。
【請求項１９】
非ポリマー成分が、生物活性因子からなる請求項１７又は１８の加工品。
【請求項２０】
生物活性因子が、自然又は人工のタンパク質、リボ核酸、デオキシリボ核酸、成長因子、サイトカイン、血管由来の因子又は抗体からなる請求項１９の加工品。
【請求項２１】
医療用具の形態である請求項９から２０の何れか１つによる加工品。
【請求項２２】
用具が縫合糸、組織工学又は埋め込み用の足場、整形外科用インプラント、複雑な形状の用具又は骨固定用具である請求項２１の加工品。
【請求項２３】
前記繊維の存在下でその他のポリマー、非ポリマー、又は、ポリマー及び非ポリマー成分の混合物を圧縮成形をする工程をさらに備える請求項１０から２２の何れか１つによる加工品の製造方法。
【請求項２４】
モノマー又はポリマー成分のためのその他の前駆体をその場で硬化させることによって、前記繊維の存在下でポリマー成分を形成することをさらに備える請求項１０から２３の何れか１つによる方法。
【請求項２５】
使用されるモノマーが、ポリマー化において、副生成物を放出しない請求項２４による方法。
【請求項２６】
モノマーの少なくとも１つが、開環してポリヒドロキシ酸を形成する開環性モノマーである請求項２４又は２５による方法。
【請求項２７】
少なくとも１つのモノマーが、ラクチド、グリコリド、カプロラクトン、カーボネート又はこれらの混合物である請求項２４から２６の何れか１つによる方法。
【手続補正書】
【提出日】平成17年12月6日(2005.12.6)
【手続補正１】
【補正対象書類名】特許請求の範囲
【補正対象項目名】全文
【補正方法】変更
【補正の内容】
【特許請求の範囲】
【請求項１】
（i）ニトリルポリマー；
（ii）フィラー；
（iii）第２級アミンと元素の周期律（ＩＵＰＡＣ １９８５）表１−２族から選択された金属との金属塩；
（vi）加硫系；および
（v）要すれば強塩基、強塩基の塩および弱酸、弱酸の塩、カルボジイミド、ポリカルボジイミドおよびそれらの混合物からなる群から選択された添加剤
を含有する加硫性組成物。
【請求項２】
請求項１に記載の加硫性組成物の加硫によって製造されるポリマー加硫物。
【請求項３】
（i）ニトリルポリマー；
（ii）フィラー；
（iii）第２級アミンと元素の周期律（ＩＵＰＡＣ １９８５）表１−２族から選択された金属との金属塩；
（vi）加硫系；および
（v）要すれば強塩基、強塩基の塩および弱酸、弱酸の塩、カルボジイミド、ポリカルボジイミドおよびそれらの混合物からなる群から選択された添加剤
を含有するポリマー組成物を混合する工程を包含するニトリルポリマー加硫物の製造方法。
【請求項４】
ニトリルポリマーに、第２級アミンと元素の周期律（ＩＵＰＡＣ １９８５）表１−２族から選択された金属との金属塩および要すれば強塩基、強塩基の塩および弱酸、弱酸の塩、カルボジイミド、ポリカルボジイミドおよびそれらの混合物からなる群から選択された添加剤を混合する工程を包含するニトリルポリマーの耐熱空気老化性を改良する方法。
【手続補正書】
【提出日】平成18年1月23日(2006.1.23)
【手続補正１】
【補正対象書類名】特許請求の範囲
【補正対象項目名】全文
【補正方法】変更
【補正の内容】
【特許請求の範囲】
【請求項１】
改良された流動性を有する、２０〜８０重量部のアイオノマーに対して８０〜２０重量部の高密度ポリエチレンからなるアイオノマー／高密度ポリエチレン混合物であって、アイオノマー／高密度ポリエチレン混合物の１００重量部に対して、エチレンと、アクリル酸、メタクリル酸およびそれらの混合物からなる群より選択される少なくとも１種のその他のコモノマーとの低分子量コポリマーの１〜２０重量部を含み、前記低分子量コポリマーが、３５０ｄｇ／分より大きなメルトインデックス（ＡＳＴＭ  Ｄ１２３８）を有し、アクリル酸とメタクリル酸とを合わせたコモノマー含量が少なくとも５重量パーセントであることを特徴とする混合物。
【請求項２】
エチレンと少なくとも１種のその他のコモノマーとの前記低分子量コポリマーが、少なくとも９００ｄｇ／分のメルトインデックスを有し、アクリル酸とメタクリル酸とを合わせたコモノマーを少なくとも９重量パーセント含量有していることを特徴とする請求項１に記載のアイオノマー／高密度ポリエチレン混合物。
【請求項３】
アイオノマー／高密度ポリエチレン混合物の１００重量部に対して、０．２〜５．０重量パーセントの無水マレイン酸コモノマーを用いて改質したポリエチレンを１〜２０重量部さらに含むことを特徴とする請求項１に記載のアイオノマー／高密度ポリエチレン混合物。
【請求項４】
耐衝撃性及び引張強さを顕著に低下させることなく、アイオノマーの２０〜８０重量部に対して、８０〜２０重量部の高密度ポリエチレンからなる、アイオノマー／高密度ポリエチレン混合物の粘度を低下させる方法であって、アイオノマー／高密度ポリエチレン混合物の１００重量部に対して、エチレンと、アクリル酸、メタクリル酸およびそれらの混合物からなる群より選択される少なくとも１種のその他のコモノマーとの低分子量コポリマーを１〜２０重量部混合する工程を含み、前記低分子量コポリマーが、３５０ｄｇ／分より大きなメルトインデックス（ＡＳＴＭ  Ｄ１２３８）を有し、アクリル酸とメタクリル酸とを合わせたコモノマー含量が少なくとも５重量パーセントであることを特徴とする方法。
【請求項５】
エチレンと少なくとも１種のその他のコモノマーとの前記低分子量コポリマーが、少なくとも９００ｄｇ／分のメルトインデックスを有し、アクリル酸とメタクリル酸とを合わせたコモノマーを少なくとも９重量パーセント含量有していることを特徴とする請求項４に記載の方法。
【請求項６】
アイオノマー／高密度ポリエチレン混合物の１００重量部に対して、０．２〜５．０重量パーセントの無水マレイン酸コモノマーを用いて改質したポリエチレンを１〜２０重量部混合する工程をさらに含むことを特徴とする請求項４に記載の方法。
【手続補正書】
【提出日】平成17年12月9日(2005.12.9)
【手続補正１】
【補正対象書類名】特許請求の範囲
【補正対象項目名】全文
【補正方法】変更
【補正の内容】
【特許請求の範囲】
【請求項１】
ＣＢ２カンナビノイド受容体活性を有する化合物を含んでなる、免疫系細胞の異常を値用するための薬剤組成物。
【請求項２】
異常が、免疫系の悪性腫瘍、自己免疫疾患、敗血症ショック、移植反応およびアレルギーからなる群より選択される、請求項１記載の薬剤組成物。
【請求項３】
異常が、白血病およびリンパ腫からなる群より選択される、請求項１記載の薬剤組成物。
【請求項４】
異常が原発性急性リンパ芽球性白血病（ＡＬＬ）である、請求項１記載の薬剤組成物。
【請求項５】
化合物が、ＴＨＣと比較した際に、減少した向精神活性を有するＣＢ２アゴニストである、請求項１〜４のいずれか１項記載の薬剤組成物。
【請求項６】
選択的ＣＢ２アゴニストが、ＣＢ２受容体に対して、ＣＢ１受容体に対する親和性の少なくとも５倍の親和性を有するものから選択される、請求項１ないし５のいずれか１項記載の薬剤組成物。
【請求項７】
選択的ＣＢ２アゴニストが、ＣＢ２受容体に対して、ＣＢ１受容体に対する親和性の少なくとも１０倍の親和性を有するものから選択される、請求項６記載の薬剤組成物。
【請求項８】
選択的ＣＢ２アゴニストが、ＣＢ２受容体に対して、ＣＢ１受容体に対する親和性の少なくとも２０倍の親和性を有するものから選択される、請求項６記載の薬剤組成物。
【請求項９】
選択的ＣＢ２アゴニストが、ＣＢ２受容体に対して、ＣＢ１受容体に対する親和性の少なくとも１００倍の親和性を有するものから選択される、請求項６記載の薬剤組成物。
【請求項１０】
活性剤としてＣＢ２アゴニストを含んでなる、免疫系の異常を治療するための薬剤組成物。
【手続補正書】
【提出日】平成17年12月16日(2005.12.16)
【手続補正１】
【補正対象書類名】明細書
【補正対象項目名】００９４
【補正方法】変更
【補正の内容】
【００９４】
【表１】
2005516072.tif 000001
細胞増殖の活性化かまたは阻害かいずれかのための、各ペプチド処方の最適濃度を決定するために、試験濃度をさらに最適化し得ることを理解すべきである。しかし、この実施例中に含まれるデータは、線維芽細胞アッセイにおけるペプチド組成物の活性を示す。試験データは、さらに主題アミノ酸配列ＬＧＤ、ＤＬＮ、ＡＰＴＶ、ＳＥＱ  ＩＤ  ＮＯ：６７またはＬＮＶＥＶ、ＳＥＱ  ＩＤ  ＮＯ：１１８を含むペプチドの類似活性を示す。
【手続補正書】
【提出日】平成18年2月1日(2006.2.1)
【手続補正１】
【補正対象書類名】特許請求の範囲
【補正対象項目名】全文
【補正方法】変更
【補正の内容】
【特許請求の範囲】
【請求項１】
ＩＩ型糖尿病を有するか、または有する疑いがある対象を処置する方法であって、かかる処置が必要な対象に、対象におけるＰＩＰＫＩＩβの活性を減少させる剤の有効量を、ＩＩ型糖尿病の処置として投与することを含む、前記方法。
【手続補正書】
【提出日】平成17年6月24日(2005.6.24)
【手続補正１】
【補正対象書類名】特許請求の範囲
【補正対象項目名】全文
【補正方法】変更
【補正の内容】
【特許請求の範囲】
【請求項１】
銀錯イオンを含む吸水性の水不溶性ポリマー。
【請求項２】
ポリマーが粒子の形態にあり、かつ１種またはそれ以上のエチレン系不飽和カルボキシル含有モノマーから誘導される、請求項１に記載のポリマー。
【請求項３】
ポリマーが１種またはそれ以上のエチレン系不飽和カルボキシル含有モノマーおよび１種またはそれ以上の、該カルボキシル含有モノマーと共重合可能なコモノマーから誘導される、請求項２に記載のポリマー。
【請求項４】
カルボキシル含有モノマーが、エチレン系不飽和カルボン酸、エチレン系不飽和カルボン酸無水物、不飽和カルボン酸の塩、およびそれらの混合物から成る群から選択される、請求項２に記載のポリマー。
【請求項５】
カルボキシル含有モノマーが、エチレン系不飽和カルボン酸、エチレン系不飽和カルボン酸無水物、不飽和カルボン酸の塩、およびそれらの混合物から成る群から選択され、そしてコモノマーが、アクリルアミド、ビニルピロリドン、ビニルスルホン酸またはその塩およびアクリロニトリルから成る群から選択される、請求項３に記載のポリマー。
【請求項６】
銀錯イオン中の銀カチオンの量が、乾燥ポリマーの重量を基準として１から１０，０００ｐｐｍである、請求項１〜５のいずれかに記載のポリマー。
【請求項７】
吸水性の水不溶性ポリマー粒子の製造方法であって、しかも
（Ｉ）
（ａ）１種またはそれ以上のエチレン系不飽和カルボキシル含有モノマー、
（ｂ）１種またはそれ以上の架橋剤、
および
（ｃ）重合媒質
を含む重合混合物を重合して架橋ヒドロゲルを形成させ、
（ＩＩ）このヒドロゲルを粒子に粉砕し、そして
（ＩＩＩ）このヒドロゲルを乾燥する
ことを含む方法において、銀錯イオンを含む溶液を、次の工程の少なくとも一つにおいてすなわち
（ｉ）重合の開始前のモノマー混合物にもしくは重合中の重合混合物に、または
（ｉｉ）工程（ＩＩ）における粉砕の前もしくは後の架橋ヒドロゲルに、または
（ｉｉｉ）工程（ＩＩＩ）後の乾燥ポリマー粒子に
添加する方法。
【請求項８】
吸水性の水不溶性ポリマー粒子の製造方法であって、しかも
（Ｉ）
（ａ）１種またはそれ以上のエチレン系不飽和カルボキシル含有モノマー、
（ｂ）１種またはそれ以上の架橋剤、
（ｃ）１種またはそれ以上の、該カルボキシル含有モノマーと共重合可能なコモノマー、および
（ｄ）重合媒質
を含む重合混合物を重合して架橋ヒドロゲルを形成させ、
（ＩＩ）このヒドロゲルを粒子に粉砕し、そして
（ＩＩＩ）このヒドロゲルを乾燥する
ことを含む方法において、銀錯イオンを含む溶液を、次の工程の少なくとも一つにおいてすなわち
（ｉ）重合の開始前のモノマー混合物にもしくは重合中の重合混合物に、または
（ｉｉ）工程（ＩＩ）における粉砕の前もしくは後の架橋ヒドロゲルに、または
（ｉｉｉ）工程（ＩＩＩ）後の乾燥ポリマー粒子に
添加する方法。
【請求項９】
銀錯イオンが、銀クロロ錯イオンもしくは銀チオサルファト錯イオンまたはそれらの混合物である、請求項７または８に記載の方法。
【請求項１０】
銀錯イオンを、乾燥ポリマーの重量を基準として１ないし１０，０００ｐｐｍの銀カチオンを与える量にて添加する、請求項７または８に記載の方法。
【請求項１１】
工程（ＩＩＩ）からの乾燥ポリマー粒子を、（ＩＶ）銀錯イオンの添加の前または後に、１７０から２５０℃の温度に１から６０分間加熱する、請求項７または８に記載の方法。
【請求項１２】
銀錯イオンを含む溶液が、水溶液である、請求項７または８に記載の方法。
【請求項１３】
銀錯イオンを含む水溶液が、さらにポリエーテルポリオールを含む、請求項１２に記載の方法。
【請求項１４】
工程（ＩＩＩ）からの乾燥ポリマー粒子を、銀錯イオンを含む溶液の添加の前、同時または後に、硫酸アルミニウムの水溶液で処理する、請求項７または８に記載の方法。
【請求項１５】
ヒュームドシリカを、銀錯イオンを含む溶液の添加の前または同時に、工程（ＩＩＩ）からの乾燥ポリマー粒子と混合する、請求項７または８に記載の方法。
【請求項１６】
銀錯イオンを含む溶液の添加の前、同時または後に、活性炭、クロロフィリン、キレート化剤、ソーダ、重炭酸ナトリウム、硫酸銅、酢酸銅、硫酸亜鉛、ケイ酸塩、粘土、シクロデキストリン、クエン酸、キトサン、イオン交換樹脂粒子、ポリカチオン性ポリマー、ポリ（ジアリルジメチルアンモニウムクロライド）、ゼオライトまたはそれらの組合わせから成る群から選択された添加剤の添加を更に含む、請求項７または８に記載の方法。
【請求項１７】
請求項７または８に記載の方法により製造された吸水性の水不溶性ポリマー。
【請求項１８】
吸収性構造体であって、請求項１または１７に記載の吸水性ポリマーと、少なくとも１個の、紙、合成繊維、天然繊維またはそれらの組合わせの織または不織構造体とを含む吸収性構造体。
【請求項１９】
吸水性の水不溶性ポリマーの製造方法であって、しかも
（Ｉ）
（ａ）１種またはそれ以上のエチレン系不飽和カルボキシル含有モノマー、
（ｂ）１種またはそれ以上の架橋剤、
および
（ｃ）重合媒質
を含む重合混合物を重合して架橋ヒドロゲルを形成させ、
（ＩＩ）このヒドロゲルを粒子に粉砕し、そして
（ＩＩＩ）このヒドロゲルを乾燥する
ことを含む方法において、１００から１，０００ｐｐｍの銀塩を該方法に添加する方法。
【請求項２０】
吸水性の水不溶性ポリマーの製造方法であって、しかも
（Ｉ）
（ａ）１種またはそれ以上のエチレン系不飽和カルボキシル含有モノマー、
（ｂ）１種またはそれ以上の架橋剤、
（ｃ）１種またはそれ以上の、該カルボキシル含有モノマーと共重合可能なコモノマー、および
（ｄ）重合媒質
を含む重合混合物を重合して架橋ヒドロゲルを形成させ、
（ＩＩ）このヒドロゲルを粒子に粉砕し、そして
（ＩＩＩ）このヒドロゲルを乾燥する
ことを含む方法において、１００から１，０００ｐｐｍの銀塩を該方法に添加する方法。
【手続補正書】
【提出日】平成18年1月12日(2006.1.12)
【手続補正１】
【補正対象書類名】特許請求の範囲
【補正対象項目名】請求項１
【補正方法】変更
【補正の内容】
【請求項１】
第１領域（５）を有する被覆と少なくとも第２領域（５’）とを表面に備える基板（３）を含む構造化光学素子（１）であって、前記第１領域（５）が、第１内側部分層構造（９）及び補足的な部分層構造（１１）からなる光機能をもつ第１層構造を備え、前記第１内側部分層構造（９）が、少なくとも１つの層を備えると共に前記第２領域（５’）には広がっておらず、前記補足的な部分層構造（１１）が、少なくとも１つの層を含むと共に前記被覆に広がっており、該第２領域（５’）において、前記補足的な部分層構造（１１）が、前記第１層構造の光機能とは異なる光機能をもつ、第２層構造の少なくとも一構成要素となっている、構造化光学素子（１）において、
前記第１内側部分層構造（９）が、前記基板（３）と前記補足的な部分層構造（１１）との間に配置されており、
前記第１内側部分層構造（９）と前記補足的な部分層構造（１１）との組み合わせの場合にのみ、各領域における各層構造は光機能をもち、
前記第１内側部分層構造（９）が提供されない領域では、前記補足的な部分層構造（１１）の場合にのみ、層構造は光機能をもち、
前記補足的な部分層構造（１１）は、少なくとも１つの領域で、前記基板（３）上に直接配置されている、ことを特徴とする構造化光学素子。
【手続補正２】
【補正対象書類名】特許請求の範囲
【補正対象項目名】請求項１０
【補正方法】変更
【補正の内容】
【請求項１０】
請求項１〜９のいずれか１項に記載の構造化光学素子を製造する方法において、該製造が、
ａ）  各基板領域について、各領域について予見される光機能を果す層構造であって、周囲の媒質に関して閉鎖していると共に全領域で同一である、１つ又は複数の層からなる部分層構造から構成される前記層構造を決定するステップと、
ｂ）  全領域のための補足的な部分層構造（１１）を決定するとともに、前記決定された全領域に共通の前記補足的な部分層構造（１１）を考慮に入れて、特定領域の内側部分層構造（９，９’，９’’，…）に前記層構造を区分けするステップと、
ｃ）  好ましくは真空めっき法及びリフトオフ法により、それぞれ前記内側部分層構造（９，９’，９’’，…）に割り当てられた各領域（５，５’，５’’，…）において前記内側部分層構造（９，９’，９’’，…）を付着するステップと、
ｄ）  全領域を被覆する被覆ステップにより、好ましくは真空めっき法により、前記基板の全領域にわたって前記補足的な部分層構造（１１）を同時付着するステップと、
を含む、ことを特徴とする方法。
【手続補正書】
【提出日】平成17年12月7日(2005.12.7)
【手続補正１】
【補正対象書類名】特許請求の範囲
【補正対象項目名】全文
【補正方法】変更
【補正の内容】
【特許請求の範囲】
【請求項１】
蓋を具備する装置において、
予め定められた波長の放射線に対して透過性であり、その一方の側に表面を有するウィンドウと、
前記ウィンドウの前記表面に隣接して設けられ、前記予め定められた波長の放射線に対して透過性の層とを具備し、前記層は貫通する開口部とその開口部の周囲に延在するエッジとを有し、そのエッジは前記表面に関して約１５゜よりも大きい鋭角で傾斜されている装置。
【請求項２】
反射防止材料の２つの隔てられた被覆層を含んでおり、前記ウィンドウと前記層とはそれぞれ前記被覆層間に配置されている請求項１記載の装置。
【手続補正書】
【提出日】平成18年1月12日(2006.1.12)
【手続補正１】
【補正対象書類名】特許請求の範囲
【補正対象項目名】請求項１１
【補正方法】変更
【補正の内容】
【請求項１１】
コンピュータプログラムであって、プログラマブル機器が前記コンピュータプログラムを実行したとき、前記プログラマブル機器が請求項１に記載のシステムとして機能可能となるコンピュータプログラム。